(57)【要約】【目的】従来の金属製の留め具をプラスチックに置き換えると共に、そのために必要な改良を加えたブラジャー類の留め具を提供する。【構成】雌側留め具（１１）は、基布（１２）と、この雌側基布に固定された雌側テープ（３０）からなり、前記雌側テープは少なくとも１列設けられていて、１列あたり少なくとも１個の合成樹脂製の雌部材（３１）が成形固定されている。雄側留め具（２１）は、基布（２２）と、この雄側基布に固定された雄側テープ（４０）からなり、前記雄側テープは少なくとも１列設けられていて、１列あたり少なくとも１個の合成樹脂製の雄部材（４１）が成形固定されている。前記雌雄部材（３１，４１）は本体部（３２，４２）と、この本体部に連結された脚部（３３，４３）からなり、前記雌雄部材のテープは前記脚部に固定されている。【選択図】  図１
2004176220.tif 000002
【特許請求の範囲】
【請求項１】
ブラジャー類のストラップ左右末端（１０，２０）に取り付けられる左右の留め具（１１，２１）であって、
左側留め具（１１，１１Ａ）は、雌側基布（１２）と、この雌側基布に固定された雌側テープ（３０；３０Ａ）からなり、前記雌側テープ（３０，３０Ａ）は少なくとも１列設けられていて、１列あたり少なくとも１個の合成樹脂製の雌部材（３１；３１Ａ）が成形固定されており、
右側留め具（２１，２１Ａ）は、雄側基布（２２）と、この雄側基布に固定された雄側テープ（４０；４０Ａ）からなり、前記雄側テープ（４０，４０Ａ）は少なくとも１列設けられていて、１列あたり少なくとも１個の合成樹脂製の雄部材（４１；４１Ａ）が成形固定されており、
前記雌雄部材（３１，４１；３１Ａ，４１Ａ）は本体部（３２，４２；３２Ａ，４２Ａ）と、この本体部に連結された脚部（３３，４３；３３Ａ，４３Ａ）からなり、前記雌雄部材のテープ（３０，４０；３０Ａ，４０Ａ）は前記脚部（３３，４３；３３Ａ，４３Ａ）に固定されていることを特徴とするブラジャー類の留め具。
【請求項２】
ブラジャー類のストラップ左右末端（１０Ｃ，２０Ｃ）に取り付けられる左右の留め具（１１Ｃ，２１Ｃ）であって、
左側留め具（１１Ｃ）は、雄側基布（２２Ｃ）と、この雄側基布に固定された雄側テープ（４０Ｃ）からなり、前記雄側テープ（４０Ｃ）は少なくとも１列設けられていて、１列あたり少なくとも１個の合成樹脂製の雄部材（４１Ｃ）が成形固定されており、
右側留め具（２１Ｃ）は、雌側基布（１２Ｃ）と、この雌側基布に固定された雌側テープ（３０Ｃ）からなり、前記雌側テープ（３０Ｃ）は少なくとも１列設けられていて、１列あたり少なくとも１個の合成樹脂製の雌部材（３１Ｃ）が成形固定されており、
前記雌雄部材（３１Ｃ，４１Ｃ）は本体部（３２Ｃ，４２Ｃ）と、この本体部に連結された脚部（３３Ｃ，４３Ｃ）からなり、前記雌雄部材のテープ（３０Ｃ，４０Ｃ）は前記脚部（３３Ｃ，４３Ｃ）に固定されていることを特徴とするブラジャー類の留め具。
【請求項３】
前記雌雄部材のテープ（３０，４０；３０Ａ，４０Ａ；３０Ｃ，４０Ｃ）は前記脚部（３３，４３；３３Ａ，４３Ａ，３３Ｃ，４３Ｃ）に埋設された状態で設定されていることを特徴とする請求項１又は２記載のブラジャー類の留め具。
【請求項４】
前記雌雄部材のテープ（３０，４０；３０Ａ，４０Ａ；３０Ｃ，４０Ｃ）は前記脚部（３３，４３；３３Ａ，４３Ａ；３３Ｃ，４３Ｃ）に接合された状態で設定されていることを特徴とする請求項１又は２記載のブラジャー類の留め具。
【請求項５】
ブラジャー類のストラップ左右末端に取り付けられる左右留め具（１１Ｂ，２１Ｂ）であって、
雌側留め具（１１Ｂ）は、雌側基布（１２Ｂ）と、この雌側基布に固定された少なくとも１個の合成樹脂製の雌部材（３１Ｂ）からなり、
雄側留め具（２１Ｂ）は、雄側基布（２２Ｂ）と、この雄側基布に固定された少なくとも１個の合成樹脂製の雄部材（４１Ｂ）からなり、
前記雌雄部材（３１Ｂ，４１Ｂ）は雌雄部材本体部（３２Ｂ，４２Ｂ）とこの雌雄部材本体部に連結された雌雄部材脚部（３３Ｂ，４３Ｂ）からなり、この雌雄部材脚部において前記基布（１２Ｂ，２２Ｂ）に固定されていることを特徴とするブラジャー類の留め具。
【請求項６】
前記雌部材（３１；３１Ａ；３１Ｂ；３１Ｃ）は雌部材本体部（３２；３２Ａ；３２Ｂ；３２Ｃ）に係合用の孔（３５，；３５Ａ；３５Ｂ；３５Ｃ）を有し、前記雄部材（４１；４１Ａ；４１Ｂ；４１Ｃ）は雄部材本体部（４２；４２Ａ；４２Ｂ；４２Ｃ）に前記孔に係合可能なフック（４４；４４Ａ；４４Ｂ；４４Ｃ）を有する請求項１ないし５のいずれかに記載のブラジャー類の留め具。
【請求項７】
請求項１ないし６のいずれかに記載のブラジャー類の留め具（１１，２１；１１Ａ，２１Ａ；１１Ｂ，２１Ｂ；１１Ｃ，２１Ｃ）を有するブラジャー類。
【発明の詳細な説明】
【０００１】
【発明の属する技術分野】
本発明は、ブラジャー類の留め具及びそれを用いたブラジャーに関する。ここで、「ブラジャー類」とは、少なくともカップとストラップ左右末端を有する女性用衣類で、ブラジャー、水着、ランジェリー、コルセットを含む。以下の説明では、ブラジャーを例にとって説明する。
【０００２】
【従来の技術】
ブラジャーの留め具は、着用者の背中側又は前側の左右ストラップ端部に設けられ、両者を互いに係合させることにより、着用者に固定される。ストラップ端部は、着用者の体格に合わせて数段階に長さの調節が可能なようになっているのが普通である。
【０００３】
この留め具として最も一般的なのは、フック・アンド・アイレット方式のものである。この従来の留め具は、金属で製造されることが多いため、（１）他の衣服にかぎ裂きを作りやすい、（２）他の部分と同じ色に着色するのが難しい、（３）金属アレルギーの人には不向きである、（４）検針機や金属探知機に反応してしまうことがある、というような欠点がある。
【０００４】
【発明が解決しようとする課題】
本発明はこの金属製の留め具をプラスチックに置き換えると共に、そのために必要な改良を加えたブラジャー類の留め具を提供することを目的とする。本発明はまたそのようなブラジャー類の留め具を用いたブラジャー類も提供する。
【０００５】
【課題を解決するための手段】
本願第１発明は、ブラジャー類のストラップ左右末端に取り付けられる左右留め具であって、雄側留め具は、基布と、この基布に固定された雄側テープからなり、前記雄側テープは少なくとも１列設けられており、１列あたり少なくとも１個の合成樹脂製の雄部材を成形固定しており、雌側留め具は、基布と、この基布に固定された雌側テープからなり、前記雌側テープは少なくとも１列設けられており、１列あたり少なくとも１個の合成樹脂製の雌部材を成形固定しており、前記雌雄部材は本体部とこの本体部に連結された脚部からなり、前記雌雄部材のテープは前記脚部に固定されていることを特徴とする。左側留め具には雌雄部材のどちらかが位置し、右側留め具には対になった他方の部材が位置する。
【０００６】
本願第２発明のブラジャー類の留め具は、ブラジャー類のストラップ左右末端に取り付けられる左右留め具であって、雌側留め具は、基布と、この基布に固定された少なくとも１個の合成樹脂製の雌部材からなり、雄側留め具は、基布と、この基布に固定された少なくとも１個の合成樹脂製の雄部材からなり、前記雌雄部材は本体部とこの本体部に連結された脚部からなり、この脚部において前記基布に固定されていることを特徴とする。
【０００７】
本願第３発明は、上記のブラジャー類の留め具を有することを特徴とするブラジャー類である。
【０００８】
【発明の実施の態様】
前記雌部材は、例えば本体部に係合用の孔を有し、前記雄部材は例えば本体部に前記孔に係合可能なフックを有する構造とすることができる。その他、脚部付き雌雄ボタンの組合せとすることもできる。
【０００９】
前記雌雄部材のテープと前記脚部の固定方法には、（１）前記雌雄部材のテープを前記脚部に埋設する方法、（２）前記雌雄部材のテープを前記脚部に縫合する方法、等がある。その他、接着剤や熱溶着による接着であってもよい。
【００１０】
雄側テープ断片及び雌側テープ断片の上下端部（テープ切断部）が超音波溶接で十分であるが、遊端部及びスナップボタン近辺は強度を高めるために縫合接着することが好ましい。
【００１１】
【実施例】
以下、添付の図面に基づき本発明の実施例を説明する。
【００１２】
＜第１実施例＞
第１実施例では、特開２００１−７８８０７で開示されているファスナをそのまま又は変形させて使用する。
【００１３】
図１は、本発明第１実施例に係るブラジャーの留め具を設けたブラジャーストラップの両端部の平面図である。（ａ）は左端部１０、（ｂ）は右端部２０である。図２（ａ）は図１における２（ａ）−２（ａ）線断面図、図２（ｂ）は図１における２（ｂ）−２（ｂ）線断面図である。図３（ａ）（ｂ）は雌雄部材の各断面図、（ｃ）は結合状態の断面図である。
【００１４】
図１（ａ）の左側端部１０には左側留め具１１が設けられている。左側留め具１１は基布１２と、２個ずつ雌部材３１を有する雌側テープ３０とからなり、雌側テープ３０は２列にわたって設けられている。もちろん３列以上でもよい。
【００１５】
図１（ｂ）の右側端部２０には右側留め具２１が設けられている。右側留め具２１は、基布２２と、２個の雄部材４１を有する１列のテープ４０からなる。左右留め具の雌雄部材３１，４１を係合させることにより、左右のブラジャーストラップ端部１０，２０同士が結合される。この結合部は背中側の場合が多いが、胸側でもよい。
【００１６】
雌部材３１は、図２（ａ）、図３（ａ）に示すように、雌部材本体部３２と脚部３３からなる。本体部３２は係合用の溝３４及び中央孔３５を有する（図１ａ）。中央孔３５は本体部先端の上下幅いっぱいの長さを有するのではなく、その中央２／３程度であり、後記する雄部材４１のフック４４の長さとほぼ等しい。脚部３３は本体部３２と一体成形されている。雌側テープ３０はこの脚部３３に埋設された状態で設定されている。脚部３３は中央に大きな切り込み３６（図１ａ）を有するが、これは意匠的なもので技術的な意味はない。
【００１７】
雄部材４１は、図２（ｂ）、図３（ｂ）に示すように、雄部材本体部４２と脚部４３からなる。本体部４２の先端には係合用のフック４４が設けられている。フック４４は前記中央孔３５の長さとほぼ等しい。脚部４３は本体部４２と一体成形されている。雄側テープ４０はこの脚部４３に埋設された状態で設定されている。本体部４２の上下に位置する小さなくぼみ４５は意匠的なもので技術的な意味はない。また、脚部４３は中央に大きな切り込み４６（図１ｂ）を有するが、これも意匠的なもので技術的な意味はない。
【００１８】
雌雄部材３１，４１を係合させるには、図３（ｃ）に示すように、雄部材４１のフック４４を雌部材３１の中央孔３５に押しつけるようにしてスナップ嵌合させればよい。両者の係合を解くにはその逆の操作をする。
【００１９】
雌側テープ３０は、図２（ａ）に示すように、基布１２と表面生地１３の間に挿入され、縫糸１８による縫合によって固定されている。
【００２０】
左側（雌側）留め具１１は、強度を上げるため、上下端部１４、１５（図１（ａ）参照）が超音波溶接されている。遊端部１６も超音波溶接してもよいが、この部分は特に強度が必要であるので、縫合が好ましい。さらに強度を上げるため、２列のスナップボタンの中間部１７においても縫合されている。
【００２１】
この左側（雌側）留め具１１と左側ブラジャーストラップ左端部１０を接合するには、左側ブラジャーストラップ左端部１０を留め具の基布１２の間に挟み、その位置を縫糸１９により縫合により固定する。
【００２２】
雄側テープ４０は、図２（ｂ）に示すように、基布２２と表面生地２３の間に挿入され、雄側テープ部４０において縫糸２４により縫合固定されている。
【００２３】
右側（雄側）留め具２１も、強度を上げるため、上下端部２５、２６（図１（ｂ）参照）が超音波溶接されている。遊端部２７も超音波溶接してもよいが、この部分は特に強度が必要であるので、縫合が好ましい。さらに強度を上げるため、雄部材４１の近辺２８においても縫合している。
【００２４】
この右側（雄側）留め具２１と右側ブラジャーストラップ右端部２０を接合するには、右側ブラジャーストラップ右端部２０を留め具の基布２２の間に挟み、その位置を縫糸２９により縫合固定する。
【００２５】
＜第２実施例＞
第２実施例が第１実施例と異なるのは、ブラジャーの留め具の雌雄部材３１Ａ，４１Ａのみである。
【００２６】
図４，図５は本発明の第２実施例に係るブラジャーの留め具に関する。図４は第２実施例の雌部材３１Ａであり、（ａ）は側面図、（ｂ）は平面図、（ｃ）は（ｂ）におけるｃ−ｃ断面図、（ｄ）は（ｂ）におけるｄ−ｄ断面図である。図５は第２実施例の雄部材４１Ａであり、（ａ）は側面図、（ｂ）は平面図、（ｃ）は（ｂ）におけるｃ−ｃ断面図、（ｄ）は（ｂ）におけるｄ−ｄ断面図である。第１実施例と同一の部材には同一の符号に「Ａ」を付して使用し、詳細な説明を省略している場合がある。
【００２７】
雌部材３１Ａは、図４に示すように、雌部材本体部３２Ａと脚部３３Ａからなる。本体部３２Ａは係合用の中央孔３５Ａを有する。中央孔３５Ａは本体部先端の上下幅いっぱいの長さを有するのではなく、その中央２／３程度であり、後記する雄部材４１Ａのフックの長さとほぼ等しい。脚部３３Ａは本体部と一体成形されている。雌側テープ３０Ａはこの脚部３３Ａに埋設された状態で設定されている。脚部３３Ａは貫通孔３７を３個有し、ここでテープ３０Ａが露出している。
【００２８】
雄部材４１Ａは、図５に示すように、雄部材本体部４２Ａと脚部４３Ａからなる。本体部４２Ａの先端には係合用のフック４４Ａが設けられている。フック４４Ａは前記中央孔３５Ａの長さとほぼ等しい。脚部４３Ａは本体部４２Ａと一体成形されている。雄側テープ４０Ａはこの脚部４３Ａに埋設された状態で設定されている。本体部の表裏面には浅い溝４７、４８が設けられているが、これは意匠的なもので技術的な意味はない。また、脚部４３Ａは貫通孔４９を３個有し、ここでテープが露出している。
【００２９】
＜第３実施例＞
図６は第３実施例に係り、第１実施例の図２に相当する断面図である。第１実施例と同一の部材には同一の符号に「Ｂ」を付して使用し、詳細な説明を省略する。
【００３０】
第３実施例が前記第１，２実施例と異なるのは、雌部材の脚部３３Ｂにおいて、直接基布１２Ｂ及び表面生地１３Ｂと接合し、雄部材の脚部４３Ｂにおいて、直接基布２２Ｂ及び表面生地２３Ｂとを縫糸１８Ｂで縫合していることである。この場合は、テープは使う必要がない。ただし、この場合はプラスチック製の脚部３３Ｂ、４３Ｂにおいて縫合するので比較的に薄く成形する必要がある。
【００３１】
＜第４実施例＞
図７は本発明第４実施例に係るブラジャーの留め具を設けたブラジャーストラップの両端部の平面図である。（ａ）は左端部１０、（ｂ）は右端部２０である。
【００３２】
第４実施例が第１実施例と異なるのは、雄部材４１Ｃを有する雄側テープ４０Ｃと雌部材３１Ｃを有する雌側テープ３０Ｃの位置が完全に逆転していることである。すなわち、雄側テープ４０Ｃがブラジャーストラップ左端１０Ｃ側の留め具１１Ｃの中にあり、雌側テープ３０Ｃがブラジャーストラップ右端２０Ｃ側の留め具２１Ｃの中にある。その他の点は全く同じなので、同一の部品には同一の符号に「Ｃ」を付して使用し、詳細な説明を省略する。
【００３３】
【発明の効果】
本発明によれば、次の効果が得られる。
（１）従来の金属製の留め具を全面的にプラスチックに置き換えることができる。その結果、金属製の留め具を使用することによる前記欠点をすべて解消することができる。
（２）第１，２，４実施例のようにテープ付きの雌雄部材を使用すれば、雌雄部材を大量かつ安価に製造することができ、製造原価を引き下げることができる。
（３）第３実施例では、テープを使用しないので、部品の数を減らすことができ、製造原価を引き下げることができる。。
【図面の簡単な説明】
【図１】本発明第１実施例のブラジャー留め具を設けたブラジャーストラップの両端部の平面図である。（ａ）は左端部１、（ｂ）は右端部３である。
【図２】図２（ａ）は図１における２（ａ）−２（ａ）線断面図、図２（ｂ）は図１における２（ｂ）−２（ｂ）線断面図である。
【図３】（ａ）（ｂ）は雌雄部材の各断面図、（ｃ）は結合状態の断面図である。
【図４】第２実施例の雌部材であり、（ａ）は側面図、（ｂ）は平面図、（ｃ）は（ｂ）におけるｃ−ｃ断面図、（ｄ）は（ｂ）におけるｄ−ｄ断面図である。
【図５】第２実施例の雄部材であり、（ａ）は側面図、（ｂ）は平面図、（ｃ）は（ｂ）におけるｃ−ｃ断面図、（ｄ）は（ｂ）におけるｄ−ｄ断面図である。
【図６】第１実施例の図２に相当する第３実施例の断面図である。
【図７】本発明第４実施例に係るブラジャーの留め具を設けたブラジャーストラップの両端部の平面図である。（ａ）は左端部１、（ｂ）は右端部３である。
【符号の説明】
１０        ブラジャー左側端部
１１，１１Ｂ，１１Ｃ        雌側留め具
１２，１２Ｂ，１２Ｃ        雌側基布
１３，１３Ｂ        表面生地
２０        ブラジャー右側端部
２１，２１Ｂ        雄側留め具
２２，２２Ｂ        雄側基布
２３，２３Ｂ        雄側表面生地
３０，３０Ｃ        雌側テープ
３１，３１Ａ，３１Ｂ，３１Ｃ        雌部材
３２，３２Ａ，３２Ｂ，３２Ｃ        雌部材本体部
３３，３３Ａ，３３Ｂ，３３Ｃ        雌部材脚部
３５，３５Ａ，３５Ｂ，３５Ｃ        中央孔
３７        貫通孔
４０，４０Ｃ        雄側テープ
４１，４１Ａ，４１Ｂ，４１Ｃ        雄部材
４２，４２Ａ，４２Ｂ，４２Ｃ        雄部材本体部
４３，４３Ａ，４３Ｂ，４３Ｃ        雄部材脚部
４４，４４Ａ，４４Ｂ，４４Ｃ        フック
【図１】
2004176220.tif 000003
【図２】
2004176220.tif 000004
【図３】
2004176220.tif 000005
【図４】
2004176220.tif 000006
【図５】
2004176220.tif 000007
【図６】
2004176220.tif 000008
【図７】
2004176220.tif 000009